(57)【特許請求の範囲】
【請求項１】
プラントの状態を表示する装置において、
発電プラント各軸の監視情報を格納するプラントデータベースと、監視情報を表示する複数の画面種別の中から各軸毎に画面種別を選択する手段と、発電プラントの状態に応じて各軸毎に画面サイズを決定する手段と、前記選択された画面種別及び前記決定された画面サイズにより、各軸毎の監視画面を合成し前記監視情報を表示装置に画面表示する手段と、前記各軸毎の監視画面のうち表示領域が小さいものについての画面変更の場合に他軸の分割画面を一部隠すよう重ねて特定軸の分割画面を拡大させてから、画面を変更できるタッチキーが画面中に現れる手段を設けたことを特徴とする全体監視装置。
【発明の詳細な説明】
【０００１】
【産業上の利用分野】
本発明は、表示装置により複数のプラントの状態を監視するプラント監視装置に関する。
【０００２】
【従来の技術】
ＣＲＴ等の表示装置は、情報の提示方法の多様性、柔軟性によりプラント監視において非常に活用されており、プラント運転上で重要な位置を占めている。
【０００３】
ＣＲＴを例に挙げると、プラントの状態を系統図として表示し、プラント各部の温度，圧力といったリアルタイムの情報を付加し、視覚的な監視を可能としている。
【０００４】
【発明が解決しようとする課題】
しかし、プラント数の増加、プラント構造の複雑化に伴ない、多くの監視情報を限られたＣＲＴの表示領域で監視するには非常に不便になりつつある。例えば、複数のプラントを監視する場合、プラント数分のＣＲＴ装置を設置する、面倒な操作（画面登録等）を経分割画面に表示する、系統図用，トレンド用等の種別ＣＲＴ装置を設ける（昭５８−２１７００７号）といった技術を用いなければならない。この場合、運転員の負担が増加し、少人数によるプラント全体監視が困難となるといった問題がある。
【０００５】
本発明では、複数プラントの情報を組合わせて表示させる方法を簡潔化し、さらに各プラント状態に対応した画面サイズを提供し、分割された画面ごとにリクエスト機能をもたせた。これにより操作性，監視性を高め、運転員の負担が軽くなるようにするのが本発明の目的である。
【０００６】
【課題を解決するための手段】
上記目的を達成するために、プラント全体監視を行なうファンクションキーを設け、これによりプラント監視情報のメニューを表示し、このメニューの中から監視したい項目を選ぶことにより、１台のＣＲＴ装置による複数プラントの監視を可能とした（請求項１）。
【０００７】
プラント全体監視画面を表示する上で、各分割画面のサイズを決定する処理を設け、監視時に注目すべきプラントの画面の順に大きく表示することを可能とした（請求項２）。
【０００８】
各分割画面上にリクエスト機能（タッチキー）を設け、また画面サイズによりリクエスト機能（タッチキー）の設定を変える処理を設けた。
【０００９】
【作用】
キーボード上に全体監視キーを設け、これを押下することにより画面上にプラント全体監視メニューが表示される。このメニュー中から監視したい項目を選択することにより、選択項目に関する各プラントの画面が表示される。また、プラント状態に対応した画面サイズを判断する処理を設けて、複数のプラントの中で注目すべきプラントの画面から順に大きく表示させる。
【００１０】
また、個々の分割画面ごとにリクエスト機能を設定し、個々に現在表示されている画面を別な画面に切換えることが出来る。画面サイズに応じて、リクエスト機能の数・内容を設定する処理を設けて操作性を高める。
【００１１】
【実施例】
以下、本発明の実施例につき図面を参照しながら説明する。
【００１２】
図１に本発明を実施するに当っての表示装置及び処理の構成例を示す。本実施例では、コンバインド発電プラントに適用した場合を示すが、本発明は対象プラントに依らない。コンバインド発電プラント３の各軸のセンサーからの情報は、プロセス入出力装置４を経由して各軸ごとのプラントデータベース５に格納される。ここでキーボード２より全体監視キーと画面種別（例：系統図、トレンド等）をリクエストすることにより、プラントデータベースから各軸の情報が最適表示処理部に送られる。最適表示処理部では、表示判定情報記憶装置７の情報を参照しながら画面フオーマットを決定し、この画面情報を表示出力処理部８へ出力する。表示出力処理が行なわれて、全体監視ＣＲＴ１に合成表示画面が表示される。
【００１３】
図２に４軸分の系統図の１台のＣＲＴで同時に表示した例を示す。ここでは、第１軸プラント運転中、第２，３，４軸プラント休転中の場合の表示例である。この場合、運転員は第１軸プラントの監視に重点を置けばよいので、表示画面領域の中で第１軸プラント系統図が、他軸プラント系統図より大きく表示される。図３に基づき、最適表示処理６を説明する。キーボード２より全体監視キーを押下すると、図４のように全体監視画面メニュー１１が表示される。メニュー  １１の中から全体監視を行ないたい項目を選択する。このリクエストとプラントデータベース５のデータにより選択表示データ作成処理６１を行なう。選択表示データ作成処理６１では、入力されたリクエストデータとプラントデータを基に表示判定情報記憶装置７に格納されている情報を参照して処理を行ない、表示データセットを出力する。表示判定情報記憶装置７には、画面種別，画面サイズ，プラント状態，リクエスト機能等のデータが格納されている。選択表示データ作成処理６１は、まずどの画面種別（系統図，トレンドグラフ，警報表示，ロジック図等）が選択されたか、また複数プラントにおける個々のプラント状態（起動中，運転中，停止中等）を判定する。さらにプラント状態に応じた画面サイズ、またこの画面サイズに応じた個々の画面のリクエスト機能（タッチキー）１２をどの程度設定するかを判定する。これらの判定結果を表示データセットとして画面合成処理６３に出力する。またプラントデータベース５のプラントデータは画面編集処理６２に送られ、各プラントの各画面の編集を行なう。この処理により画面データセットを画面合成処理６３に出力する。画面合成処理６３は、表示データセットと画面データセットを基に、画面組合わせ、サイズ調整、リクエスト機能設定等の処理を行なう。さらに出力処理が行なわれ、ＣＲＴ画面１上にリクエストした全体監視画面が表示される。以上の選択表示データ作成処理６１，画面編集処理６２，画面合成処理６３をまとめたものが最適表示処理である。
【００１４】
図５に全体監視画面における分割画面の画面変更例を示す。これは分割画面ごとにリクエスト機能（タッチキー）１２を持ち、それにより個別に画面を変更出来るものである。ただし、図６の分割画面Ａのように表示領域が小さい場合、操作性・監視性を考慮して画面を拡大させてから、リクエスト機能（タッチキー）１２が画面中に現われるようにする。なお分割画面中のリクエスト機能（タッチキー）１２は、最適表示処理６の中の選択表示データ作成処理６２によって設定の有無が決定される。
【００１５】
【発明の効果】
ＣＲＴ等の表示装置は、プラント監視において頻繁に活用されているが、膨大な数のプラント監視情報を限られたＣＲＴ監視領域上で監視することは困難であり、今後、より一層の改善が求められている。この問題を単純に解決するには、表示機器を増やすことが有効であるが、コストや運転員の増大、設置スペース等の問題が生じる。本発明は、複数プラントの監視情報を１つの画面に同時に表示することが可能であり、部分表示画面ごとに監視情報を選択できる、状況に応じた最適サイズの画面を表示することができる等の特徴を持ち、これにより操作性，監視性の向上、及び限られた画面表示領域を効率よく利用できる効果が期待でき、マンマシン・インターフェイスの改善に寄与する。
【図面の簡単な説明】
【図１】機能処理フロー図である。
【図２】プラント全体監視モニタ例を示す図である。
【図３】最適表示処理フロー図である。
【図４】全体監視メニュー例を示す図である。
【図５】画面交替例を示す図である。
【図６】画面拡大例を示す図である。
【符号の説明】
１…ＣＲＴ表示装置、２…キーボード、３…プラント、４…プラント入出力装置、５…プラントデータベース、６…最適表示処理部、７…表示判定情報記憶装置、８…表示出力処理部、１１…全体監視画面メニュー、１２…タッチキー、  ６１…選択表示データ作成処理、６２…画面編集処理、６３…画面合成処理。
【図１】
0003582534.tif 000002
【図２】
0003582534.tif 000003
【図３】
0003582534.tif 000004
【図４】
0003582534.tif 000005
【図５】
0003582534.tif 000006
【図６】
0003582534.tif 000007